(57)【要約】【課題】  従来の木工沈床においてその壁体（垂直部材）は、井筒形の箱状構造物を構築してゆくことで形成されていた。この時壁体各面に形成されるスリットの幅は、積層してゆく丸太の大きさによって決定され、調整はほぼ不可能であった。従って、投入する沈石の大きさに応じたスリット幅の調整、一部の壁体の隙間を完全になくして水密性のある仕切り板とすること、等々が容易ではなかった。【解決手段】  底体と壁体とにより構成される、或いは壁体のみにより構成される箱状構造の木工沈床であって、該壁体には、丸太、角材又は板材である立成木を垂直方向に連設してなる立成木壁体が含まれており、且つ該立成木壁体の上部近傍及び下部近傍には連設された立成木を水平方向で挟持固定する貫木が配されている。【選択図】  図１
2006152791.tif 000002
【特許請求の範囲】
【請求項１】
底体と壁体とにより構成される、或いは壁体のみにより構成される箱状構造の木工沈床であって、該壁体には、丸太、角材又は板材である立成木を垂直方向に連設してなる立成木壁体が含まれており、且つ該立成木壁体の上部近傍及び下部近傍には連設された立成木を水平方向で挟持固定する貫木が配されているものであることを特徴とする木工沈床。
【請求項２】
該壁体は、筋交いを具備するものである請求項１記載の木工沈床。
【請求項３】
該底体は、丸太、角材又は板材を、平行にある一対の桟木上に並設固定した簀の子状ユニットであり、これを該壁体と連結して箱状構造とするものである請求項１又は２記載の木工沈床。
【発明の詳細な説明】
【技術分野】
【０００１】
本発明は、新規な木工沈床の構造に関するものである。
【背景技術】
【０００２】
木工沈床は、河川の川床や護岸に沿って構築される構造物であり、粗朶（雑木から伐採した木の枝）を組み沈石を詰めて成る粗朶沈床と共に、伝統的且つ典型的な護床工法の一つである。護床自体は、河床低下によって、既設構造物が不安定になり破損してしまう、魚類の遡上や降下が困難になる、既設護岸の基礎部が洗掘され護岸自体が浸食される、等々を引き起こし、これが治水・利水等に支障を来し自然景観を損なうようなこととなる事態を回避することを目的する。そして木工沈床は一般に、流下する水勢に対して粗朶沈床では抵抗し得ない急流の河川の根固・水制床止に用いられている。
【０００３】
通常この木工沈床は、木材（ほとんどの場合丸太材）で井筒形に枠を組み（これを方格材という）、これを数層に積層し、沈石を充填したものである。剛性が高いので河床の不陸を均して据える必要があるといった点で粗朶沈床に比して面倒ではあるが、治水能力に関しては優位に立つ工法である。更に水勢急なる状況を考慮する必要がある場合には、詰められた沈石が脱出して流出することを防止するために、天端に蓋成木を施して沈石を押さえ込む、或いは表面を大型の天然石で入念に張り立てる、或いはコンクリートブロックを併用する、等々の方策が講じられる。
【０００４】
いずれにせよ木工沈床は、構成する各部材間に隙間があってしかもその隙間が多様であるため、魚類を含む様々な水性生物の生息ゾーン（魚礁、貝礁、藻礁、等）が形成されることになるし、自然景観の保全にも寄与できるものである。
【０００５】
そうした木工沈床の典型例の一つの概略を図１０に示す。まず平行に対向する二辺のそれぞれに最初の丸太Ｂを置き、この丸太Ｂの上面に敷成木を簀の子状に固定して底体Ａとし、これらの上に乗る形で他の二辺それぞれに２段目の丸太Ｂを置き、という工程を続けて井筒形の箱状構造物を構築してゆくことで木工沈床が形成される。使用材には、丸太以外に太鼓落とし材、角材なども採用されている。このような構造である木工沈床の場合、得られる壁体（立設部分）は必ず水平方向のスリットＳを有することになる。
【特許文献１】特開平１０−３１７３５０
【発明の開示】
【発明が解決しようとする課題】
【０００６】
このように、丸太Ｂを井筒形に組みながら積層して箱形構造物を構築してゆくという手法で沈床を形成させると、スリットＳの幅は、「調整」が元来不可能なものであり丸太Ｂ自身の太さによって決定されることになる。即ち、仮に幅を狭くしようとすれば細い丸太を選ぶというところまで遡らなければなければならない、ということになる。また、沈床は高さ方向には積層数を増やすことで対応し、平面方向には丸太Ｂ同士の「連結」によって井筒数を増やすという方法で対応する。そしてこの連結は、基本的に同じ大きさの丸太Ｂの場合にのみ可能で、例えば、ある井筒内に投入すべき沈石が小さいものとなってしまい隙間を狭くする必要が生じた場合、構築は極端に面倒なもの、或いは不可能なものとなる。勿論、隙間を無くするような構造（即ち水密の図れる仕切り壁のような構造）とすることは望むべくもない。
【課題を解決するための手段】
【０００７】
そこで本発明者は上記点に鑑み鋭意研究の結果遂に本発明をなしたものでありその特徴とするところは、底体と壁体とにより構成される、或いは壁体のみにより構成される箱状構造の木工沈床であって、該壁体には、丸太、角材又は板材である立成木を垂直方向に連設してなる立成木壁体が含まれており、且つ該立成木壁体の上部近傍及び下部近傍には連設された立成木を水平方向で挟持固定する貫木が配されている点にある。
【０００８】
即ち本発明は、配置される方格材の太さによって決定してしまっていた沈床の「隙間」の大きさを、状況に応じて自在に調整できるようにすることを第一の目的としたものである、と言える。
【０００９】
この目的を達成するために本発明者は、井筒に組むという旧来法を採用せず、貫木を最大限に利用し、これで立成木又は横成木（丸太、角材又は板材）を挟持して壁体１つを形成するという手段を開発した。
【００１０】
成木自体は、垂直又は水平方向に連設されるわけであるが、それら同士の間隔というものは、作業者或いは設計者等が任意に設定できるものであり、またその設定の実現に際して成木そのものに切削その他何らの加工も必要としない。即ち、詰めんとしている沈石の大きさが小さければ狭くすれば良いし、壁体越しの水の行き来を遮断するのが好ましいと判断するのであれば隙間を無くし水密を図ることもできる。なお、成木は丸太、角材又は板材により成るものであるが、丸太を切削して角材とするまでにこれらの中間物というものが存在する。即ち丸太から一面だけを落とした「一面落とし」、平行な二面を落とした「太鼓落とし」、三面をコ字状に落とした「三角落とし」であり、いわゆる角材は「四面落とし」に相当する。そして本発明においてはこれら中間物も「丸太又は角材」の概念に含まれるものとする。
【００１１】
本発明に係る木工沈床は、少なくとも壁体を有する「箱状構造」のものである。箱状構造とは、基本的には直方体箱を想定した場合で言うと、底板と四面の壁体の計五面を必須とし、これに要すれば蓋体を加えて構成されるものであるが、本発明に係る木工沈床の場合には、この直方体箱を水平方向に連設して平面的な展開を成す際、隣接する直方体箱と壁体を共有する形で構築してゆくことが多く、本発明においてもそうした手法で連設するのが一般的である。従って箱状構造とは、「少なくとも壁体を有する」ものではあるが、壁体の数については限定しない。また「箱状構造」という語句における「箱」は、直方体に限定するものではない。平面視、正方形、長方形、平行四辺形、三角形、等種々の形状のものが可能である。
【００１２】
底体は、構造その他詳細について特に限定するものではないが、丸太（或いは角材や板材など）を、平行にある一対の桟木上に並設固定して予め「簀の子状ユニット」としておき、これを該壁体と連結することで箱状構造とすると、底体自体の構築に要する時間を大幅に短縮できるというばかりでなく、該底体を目安に壁体を構築することができるので木工沈床全体を規格サイズ通りに成すことができる、という副次的な効果ももたらす。或いは、壁体をもユニット化しておくようようにしても良い。なお底体自体は本発明の必須要素ではない。構築箇所中の水流の弱いところでは省略は可能であるし、既設構造物に付加する形で構築する場合その取り付け部分において底板を要しないという場合もある。
【００１３】
壁体は既述したように、貫木と成木、筋交いにより形成されるものであるが、筋交いに関しては省略されたものも本発明に属するものとする。そして、貫木と成木、或いは貫木同士の連結手段についても本発明においては特に限定しない。通常は、鉄線で結着する方法、釘打ち、ボルト留め、等々で固定するものであり、本発明においてもそうした従来法の中から適宜採用すれば良い。
【００１４】
投入される沈石については、全く限定しない。基本的に現場近辺から採取した自然石が用いられるわけであるが、採取し得る石の大きさは現場によって様々であり、隙間の調整が自在な本発明の場合その調達は結果として容易である。
【発明の効果】
【００１５】
本発明に係る木工沈床は、以下述べる如き効果を有する極めて高度な発明である。
【００１６】
（１）  木工沈床を構成する壁体が、従来の如く丸太を井筒状に積層して構築するものではなく、成木を適宜間隔を開けて連設したものを組み立てるものであるので、従来法と異なり間隔の調整が自在である。
（２）  従来法と異なり、壁体を各面単位で予め作製しておくことが可能であるので、コンパクトな容積でユニット体を輸送するということができる。
【発明を実施するための最良の形態】
【００１７】
以下図面に基づいて本発明を更に詳細に説明する。
【実施例】
【００１８】
図１は、本発明に係る木工沈床１（以下本発明沈床１という）の一例を示す概略斜視図であり、本例の本発明沈床１は、底体２と四枚の壁体３とにより構成されるものである。但し構造を明らかにするため、沈石を始め部材のいくつかは描出を省略している。
【００１９】
図より明らかなように底板２は、二本の桟木２１の上に敷成木２２（本例では一面落としの丸太材）を複数本間隔を空けながら固定した簀の子状のものである。この底板２は、その大きさが規格化されており、予め工場で製造されたものを使用すれば工期の短縮、コストの低減が図りやすく好ましい。しかし、現場で製作するようにしても良い。
【００２０】
壁板３は、複数本の立成木３１を間隔を空けながら垂直方向に連設し、これらをその上部近傍及び下部近傍箇所で、それぞれ一対の貫木３２で固定するという方法で製作する。更に壁体３の表裏面にはそれぞれ筋交い３３が設けられているが、要求強度によっては壁体３の全てに筋交い３３を設ける必要のない状況が予想される。また本例では立成木３１として間伐丸太材を使用したが、角材や板材等を採用することも可能である。立成木３１の間に形成される垂直方向のスリット４は、自在に調整可能である。この間隔の調整は、現場でできるのが好ましい場合がある。例えば、沈床内部空間に投入する沈石を現地調達する場合に、大型のものが揃えられないことがあるが、そうした状況では間隔を狭く調整し沈石の流出の防止を図ることができる。但し、そうした心配のない現場にあっては、現地で壁板３を製作しなくとも良いことになるので、本例の場合であれば、四枚の壁板３を工場で予め製造しておき、現場で底板２と共に箱状に組み立てる、という方法を採用しても良い。井筒形の壁板の場合と異なり、壁板３のユニット化は極めて容易である。なお、底板２もユニット化した場合には、下部側の貫木３２を引っ掛け桟として利用するのが好ましい。そして、桟木２１及び敷成木２２が壁板３の立成木３１同士の隙間空間に入り込まないように形成しておくと作業性が良好になり、また敷成木２２の大きさや設置間隔が立成木３１の設置形態による束縛を受けないので汎用性が増し利便性が高くなる。
【００２１】
また壁板３の構造についても種々の形態があり得る。図２（ａ）乃至（ｃ）はそれらのいくつかを示したものであり、立成木３１に角材を利用した例［同図（ａ）］、立成木３１に板材を利用し更にこれを隣接するもの同士接触させた例［同図（ｂ）］、貫木３２の設置数を増やし高強度のものとした例［同図（ｃ）］をそれぞれ示す。特に同図（ｂ）のように板材を隙間なく並べた構造の壁板の場合には、この壁板を川の流れに直交するように配置し、そのまま川岸側へ延出させて護岸構造の一部として機能させることも可能である（図示省略）。
【００２２】
なおここまで壁板３は、複数本の立成木３１を間隔を空け、又は空けずに垂直方向に連設するという構造のものとして説明してきたが、これに限定されるものではない。例えば四面の壁板３のうち、対向位置にある二面のみ垂直・水平関係を逆にした構造、即ち、横成木３４をも用いた構造も採用可能である。図３は、そうした構造の一例を示すものである。
【００２３】
このようにして形成された本発明沈床１を、クレーン等によって河底の所定の箇所に設置し、必要に応じて平面的に連結し展開してゆくことになるが、図１にて示した本発明沈床１はその際の基本となるもので、実際にはこれと同形のものを繋ぐことは少ない。即ち図４に示すように、平面視「ロ」字形の本発明沈床１Ａ（図１にて示した例はこれに該当することになる）に、「コ」字形の本発明沈床１Ｂや「Ｌ」字形の本発明沈床１Ｃを適当に設置して沈床全体を構築することが多い。こうすると壁体が重複することがなく効率的な構築が可能となる。
【００２４】
更に本発明沈床１は、ここまで平面視した場合に正方形状のものについて説明してきたがそれに限定するものではなく、例えば平面視平行四辺形（特に菱形）のもの、その他の形状のものであっても良い（図示省略）。
【００２５】
また実際に本発明沈床１にて川床を構築してゆく場合、川底は川下に向かって低くなるのが普通であるから、各木工沈床を水平に構築してゆく場合には、連結箇所でそれに対応させるのが望ましい。図５（ａ）（ｂ）はいずれもその例を示すものであり、同図（ａ）では貫木３２の幅分ずつをずらすようにして連結する方法、同図（ｂ）は貫木３２同士を僅かな間隙を設けながら突き合わすようにし、これらを連結金具５で繋ぐという方法である。特に（ｂ）の方法は、間隙があるのでこの部分でずれ、川床に沿うある程度の段差を形成させることが可能となる。
【００２６】
このようにして構成される本発明沈床１の施工例を以下図６乃至図９にて示す。図６は、本発明沈床１を根固めとして配置する際に、沈床最前面を一平面とせず凹凸を形成させることで水の流れを意図的に乱し、それによって深掘れや淀６を作ることで、魚類にとって好ましい変化に富んだ川岸を形成した例である。図７は、本発明沈床１の壁体３のうち水流方向に直交する面に相当するも壁体については立成木３１（板材）を隙間なく並べた構造としたものであり、この立成木３１の上端高さを一部分低くすることで魚道７を形成させた例である。この場合立成木３１の適宜位置に、必要に応じて水抜き孔８を設けるようにしても良い。図８は、本発明沈床１を、コンクリートブロック９による護床工の基礎として使用した例を示すものである。図９は、魚類の良好な生息環境の形成に寄与すべく、護岸近くに洗掘による淵１０を形成しながら、護岸の更なる浸食は防止する水制工を設ける際に本発明沈床１を利用した例を示すものである。ここに図示した例では、不要な洗掘に対応すべく最前面の立成木３１は、底体２位置よりも下方まで突出する長いものが採用されており、貫木３２もこれに呼応させるため三段に設けている。
【図面の簡単な説明】
【００２７】
【図１】本発明に係る木工沈床の一例を示す、一部を省略した概略斜視図である。
【図２】（ａ）（ｂ）（ｃ）は、それぞれ本発明に係る木工沈床の壁体部分の構造を示すいずれも概略斜視図である。
【図３】本発明に係る木工沈床の他の例を示す、一部を省略した概略斜視図である。
【図４】本発明に係る木工沈床によって構築された沈床全体の一例を極めて概略的に示す平面図である。
【図５】（ａ）（ｂ）は、いずれも本発明に係る木工沈床の連結方法の例を示すどちらも概略側面図である。
【図６】木工沈床の施工例の一つを概略的に示す平面図である。
【図７】木工沈床の施工例の一つを概略的に示す斜視図である。
【図８】木工沈床の施工例の一つを概略的に示す斜視図である。
【図９】木工沈床の施工例の一つを概略的に示す斜視図である。
【図１０】木工沈床の従来例の一つを概略的に示す斜視図である。
【符号の説明】
【００２８】
１    本発明に係る木工沈床
１Ａ  本発明に係る木工沈床（「ロ」字形）
１Ｂ  本発明に係る木工沈床（「コ」字形）
１Ｃ  本発明に係る木工沈床（「Ｌ」字形）
２    底体
２１  桟木
２２  敷成木
３    壁体
３１  立成木
３２  貫木
３３  筋交い
３４  横成木
４    スリット
５    連結金具
６    深掘れや淀
７    魚道
８    水抜き孔
９    コンクリートブロック
１０  淵
Ａ    底体（従来例）
Ｂ    丸太（従来例）
Ｓ    スリット（従来例）
【図１】
2006152791.tif 000003
【図２】
2006152791.tif 000004
【図３】
2006152791.tif 000005
【図４】
2006152791.tif 000006
【図５】
2006152791.tif 000007
【図６】
2006152791.tif 000008
【図７】
2006152791.tif 000009
【図８】
2006152791.tif 000010
【図９】
2006152791.tif 000011
【図１０】
2006152791.tif 000012